(57)【要約】      （修正有）【課題】作業可能傾斜面の土木工事や樹木伐採や草刈りをする時、足裏を水平に保ち足首に負担が掛からず滑らないようにして体のバランスを保ち危険を防止する簡単な構造で強度があり実用的な今までに存在しないとても優れた斜面水平保持スパイクを提供する。【解決手段】足裏が水平で滑らないようにして体のバランスを保ち危険防止し作業能率を上げる斜面水平保持スパイクであって、足の裏を斜面に応じて水平を保つよう、足乗せプレート５と滑り止めスパイクプレート７が簡単で強度があり実用的な構造で作業可能斜面に応じて自在に回転水平可動出来る様にするため、足乗せプレートと滑り止めスパイクプレートが滑り止めスパイクヒンジ６で連結され、足乗せプレートには、作業靴１４を締め付けて固定する為のバンド通し部が設けられ、さらに、足首を保護する足首保護前後屈曲バー１が足乗せプレートに取り付けられ、下腿を締めて固定し安全を図るため、足首保護前後屈曲バーの先端に下腿固定ベルト１３が付けられている。【選択図】図１
0003222394.tif 000002
【実用新案登録請求の範囲】
【請求項１】
作業可能傾斜面の土木工事や樹木伐採や草刈りをする時、足裏が水平で
滑らないようにして体のバランスを保ち危険防止し作業能率を上げる斜面水平保持スパイクで、足の裏を斜面に応じて水平を保つには足乗せプレートと滑り止めスパイクプレートが簡単で強度があり実用的な構造で作業可能斜面に応じて自在に回転水平可動出来る様にする、足乗せプレートと滑り止めスパイクプレートを滑り止めスパイクヒンジで連結し、足乗せプレートには作業靴を固定する為にバンド通し部を設けてバンドで作業靴を締め付けて作業靴を固定する、さらに、足首を保護する足首保護前後屈曲バーを足乗せプレートに取り付け、足首保護前後屈曲バーの先端に下腿固定ベルトを付け下腿固定ベルトで下腿を締めて固定し安全を図る事を特徴とする斜面水平保持スパイクである。
【請求項２】
請求項１に記載の斜面水平保持スパイクには足首保護前後屈曲バーが取り付けて有るが、携帯する時に足首保護前後屈曲バーが不具合となるので足乗せプレートに足首保護固定バー止め部を設けて足首保護前後屈曲バーを取り外し可能として携帯性を図る事を特徴とする請求項１に記載の斜面水平保持スパイク。
【考案の詳細な説明】
【技術分野】
【０００１】  本考案は、作業可能傾斜面の土木工事や樹木伐採や草刈り作業をする時、作業可能斜面で足裏を水平に保ち滑らないように体のバランスを保ち危険を防止し作業能率を上げる斜面水平保持スパイクに関する。
【背景技術】
【０００２】  本考案は、作業可能傾斜面の土木工事や樹木伐採や草刈り作業をする時に足裏の水平を保ち、且つ滑らない様にするためのスパイクである。従来は左斜面や右斜面での作業時に斜面に対し可動して水平を保ち滑りを止めるスパイクが無かったため、左足や右足に履き替えたり面倒があり平坦面は移動が困難なため、足場が不安定で腰や足首を痛めたり又、滑って転倒して大変危険であった。本考案は、作業可能傾斜面の土木工事や樹木伐採や草を刈り作業をする時、両方の足場の水平を保つことにより体のバランスが取れるため、危険を防止すると共に斜面水平保持スパイクを履いたままで平坦面も歩けて、仕事の能率を上げることの出来る斜面水平保持スパイクである。本考案の使用法を図面１にて説明すれば、足乗せプレート５に足を乗せ下腿固定ベルト１３で下腿を締めて、作業靴固定ベルト１２で作業靴１４を固定して足乗せプレート５に体の重心を置けば、体のバランスが保たれ安定した姿勢でしかも安全性が高まり作業が捗る又、左足にも右足にも使用が可能であり両足に履けばもっと楽に作業が出来る、さらに携帯性を考えて足首保護固定バー３を取り外してコンパクトで持ち運びが出来る事を考案。
【考案の概要】
【考案が解決しようとする課題】
【０００３】  作業可能傾斜面で足裏の水平を保つ為には足乗せプレート５と滑り止めスパイクプレート７を滑り止めスパイクヒンジ６で組み合わせて、斜面に応じて水平を保つ構造にする開発が必要になる。
【課題を解決するための手段】
【０００４】  本考案は作業可能傾斜面で作業するスパイクで、足乗せプレート５と滑り止めスパイクプレート７を滑り止めスパイクヒンジ６で組み合わる簡単な構造で、作業可能傾斜面に応じて足裏を水平を保つ事と、足首と下腿を保護する為に、足首保護固定バー３と足首保護前後屈曲バー１に足首保護前後屈曲バーヒンジ２を付ける構造にした。
【考案の効果】
【０００５】  本考案によれば、請求項１、２に記載の斜面水平保持スパイクで、足乗せプレート５と足首保護前後屈曲バー１に作業靴固定ベルト１２と下腿固定ベルト１３で下腿をしっかり固定出来て、左斜面や右斜面や平坦な所も足裏は水平に保ち、前後の傾斜面にも足首保護前後屈曲バー１があるので自然の状態で歩ける、左足にも右足にも履けて便利である、又、両足に履けば動作が非常に安定して楽であり、作業可能傾斜面での作業は足首を捻挫する事無く楽で疲れが軽減し安全に作業が捗る利点がある。
【図面の簡単な説明】
【０００６】
【図１】  使用例の側面図である。
【図２】  使用例の後ろ面図である。
【図３】  足首保護前後屈曲バー取り付け後ろ図である。
【図４】  足首保護前後屈曲バー側面図である。
【図５】  足乗せプレート平面図である。
【図６】  斜面水平保持スパイク後ろ図である。
【図７】  斜面水平保持スパイク側面図である。
【図８】  斜面水平保持スパイク平面図である。
【図９】  足乗せプレートと滑り止めスパイクプレートの組み付け図である。
【考案を実施するための形態】
【０００７】  作業可能傾斜面の土木作業や樹木伐採や草刈り作業を安全で体の疲れを軽減する為に図１に示す様に、本考案の斜面水平保持スパイクである、斜面水平保持スパイクは作業可能傾斜面に応じて足裏を水平を保つが、足首に対する安全も考慮して足首保護前後屈曲バー１を取り付けてある。斜面水平保持スパイクを安全に使用するには、作業靴固定ベルト１２で作業靴１４を固定し足首を保護する足首保護前後屈曲バー１の下腿固定ベルト１３で下腿にしっかり固定し安全に作業をする事を実施する。
【実施例】
【０００８】  以下、添付図面に従って一実施例を説明する。図１は斜面水平保持スパイク使用例の側面図で、足乗せプレート５に滑り止めスパイクヒンジ６で滑り止めスパイクプレート７を連結し滑り止めスパイクヒンジ６で水平回転可動を容易に可能としている、滑り止めスパイクプレート７には滑り止めスパイク爪８を形状し地面に刺さり滑り止めの役目をする。足首保護固定バー３と足首保護前後屈曲バー１を足首保護前後屈曲バーヒンジ２で構成して足乗せプレート５の足首保護固定バー止め部１７に止めて、足首固定ベルト止め部１６で下腿を締めて足首を保護している。作業靴１４は足乗せプレート５の作業靴固定ベルト１２で作業靴１４をしっかり締めて安全を図る図である。【０００９】  図２は斜面水平保持スパイクに作業靴１４を装着した使用例の後ろ図面で、滑り止めスパイクプレート７の回転可動状態を示す、左側傾きスパイク１１と右側傾きスパイク１０がそれぞれ約４５°の傾きを表した図である。【００１０】  図３は足首保護固定バー３に足首保護前後屈曲バー１を足首保護前後屈曲バーヒンジ２で連結し取り付けた図で、足乗せプレート５に滑り止めスパイクヒンジ６とベルト通し部４と足首保護固定バー止め部１７で構成した図である。【００１１】  図４は足乗せプレート５に足首保護前後屈曲バー１と足首保護固定バー３を足首保護前後屈曲バーヒンジ２で組み付けた物を足首保護固定バー止め部１７に取り付け足首保護前後屈曲バー１が３５°前倒れした図である。【００１２】  図５は足乗せプレート５に足首保護固定バー３と足首保護前後屈曲バーヒンジ２で足首保護前後屈曲バー１を組み付けて足首保護固定バー止め部１７に取り付けた平面図である。【００１３】  図６は滑り止めスパイクプレート７に滑り止めスパイクヒンジ６を形成した後ろ面図である。【００１４】  図７は滑り止めスパイクプレート７に滑り止めスパイクヒンジ６を取り付けした側面図である。【００１５】  図８は滑り止めスパイクプレート７に滑り止めスパイクヒンジ６を取り付けして中央部には軽量化孔９で計量化を図った平面図である。【００１６】  図９は滑り止めスパイクプレート７と足乗せプレート５を滑り止めスパイクヒンジ６で組み上げて足首保護固定バー止め部１７に足首保護固定バー３を足首保護前後屈曲バーヒンジ２を組み付けた平面図である。
【符号の説明】
【００１７】  １  足首保護前後屈曲バー
２  足首保護前後屈曲バーヒンジ
３  足首保護固定バー
４  ベルト通し部
５  足乗せプレート
６  滑り止めスパイクヒンジ
７  滑り止めスパイクプレート
８  滑り止めスパイク爪
９  軽量化孔
１０  右側傾きスパイク
１１  左側傾きスパイク
１２  作業靴固定ベルト
１３  下腿固定ベルト
１４  作業靴
１５  ベルト締め具
１６  足首保護ベルト止め部
１７  足首保護固定バー止め部
【図１】
0003222394.tif 000003
【図２】
0003222394.tif 000004
【図３】
0003222394.tif 000005
【図４】
0003222394.tif 000006
【図５】
0003222394.tif 000007
【図６】
0003222394.tif 000008
【図７】
0003222394.tif 000009
【図８】
0003222394.tif 000010
【図９】
0003222394.tif 000011
【手続補正書】
【提出日】平成31年4月19日(2019.4.19)
【手続補正１】
【補正対象書類名】実用新案登録請求の範囲
【補正対象項目名】請求項１
【補正方法】変更
【補正の内容】
【請求項１】
作業可能傾斜面の土木工事や樹木伐採や草刈りをする時、足裏が水平で滑らないようにして体のバランスを保ち危険防止し作業能率を上げる斜面水平保持スパイクであって、足の裏を斜面に応じて水平を保つよう、足乗せプレートと滑り止めスパイクプレートが簡単で強度があり実用的な構造で作業可能斜面に応じて自在に回転水平可動出来る様にするため、足乗せプレートと滑り止めスパイクプレートが滑り止めスパイクヒンジで連結され、足乗せプレートには、作業靴を締め付けて固定する為のバンド通し部が設けられ、さらに、足首を保護する足首保護前後屈曲バーが足乗せプレートに取り付けられ、下腿を締めて固定し安全を図るため、足首保護前後屈曲バーの先端に下腿固定ベルトが付けられていることを特徴とする斜面水平保持スパイク。